(57)【特許請求の範囲】
【請求項１】
ガイド枠と、溝内補強材と、溝外補強材とを備え、ガイド枠は、屋外側壁と、屋内側壁と、見込壁と、三壁に囲まれた溝とを有しており、溝内補強材は、ガイド枠の溝内に配置してあって、見付片と見込片とを有しており、見付片がガイド枠の屋外側壁に当接し、見込片がガイド枠の見込壁に当接しており、溝外補強材は、ガイド枠の溝外に配置してあって、見付片と見込片とを有しており、見付片がガイド枠の屋内側壁に当接し、見込片がガイド枠の見込壁に当接しており、溝内補強材の見付片とガイド枠の屋内側壁との間に、シャッタースラットの端部を収めてあることを特徴とする開口部建材。
【請求項２】
ガイド枠の溝内に、火災時に熱によって発泡する耐火材を設けてあり、耐火材は、シャッタースラットの屋外側面及び屋内側面に対向して配置してあって、発泡するとシャッタースラットに当接するものであることを特徴とする請求項１記載の開口部建材。
【発明の詳細な説明】
【技術分野】
【０００１】
本発明は、防火対応の開口部建材に関する。
【背景技術】
【０００２】
近年、防犯意識の高まりから、建築物の開口部（窓など）の屋外側に取り付けるシャッターが普及している。このようなシャッターは、一般に、シャッタースラットと、ガイドレールとを備えており、上下に延びるガイドレールが開口部の左右に設けてあって、シャッタースラットの左右の端部がガイドレールに上下動自在に係合している。このガイドレールとシャッタースラットとの係合部分の構造は、図６に示すようなものである。ガイドレール１０１は、アルミ製のものであって、シャッターの内周側に向けて開口する略コ字形の溝１１４を有しており、溝１１４内には屋内外の壁面から延びる係合片１６４を設けてある。一方、シャッタースラット１０４の左右の端部には、先端が略Ｔ字形の耐風フック１４１を取り付けてあり、耐風フック１４１がガイドレール１０１の係合片１６４に係合して、上下動自在になっている。そして、ガイドレール１０１を補強するために、鋼板からなる略Ｌ字形の補強材１０２を溝内に設けてあり、補強材の見付片１２１はガイドレール１０１の屋外側の壁面１１１に当接し、見込片１２２はガイドレール１０１の見込方向に延びる壁面１１３（溝の底面）に当接している。
【発明の概要】
【発明が解決しようとする課題】
【０００３】
しかしながら、このような構造のシャッターは防火性能が十分とはいえなかった。すなわち、ガイドレールはアルミ製であるから、火災時において炎にさらされると溶解し、耐風フックがガイドレールから抜けて、シャッタースラットが脱落してしまうおそれがあった。その際、鋼板の補強材は溶解しないものの、ガイドレールの溝内に配置されているので、ガイドレールを炎熱から保護することはできず、ガイドレールが溶解すれば補強材も脱落してしまう。
【０００４】
本発明は、上記事情を鑑みたものであり、炎熱にさらされてもシャッタースラットが脱落しない開口部建材を提供することを目的とする。
【課題を解決するための手段】
【０００５】
本発明のうち請求項１の発明は、ガイド枠と、溝内補強材と、溝外補強材とを備え、ガイド枠は、屋外側壁と、屋内側壁と、見込壁と、三壁に囲まれた溝とを有しており、溝内補強材は、ガイド枠の溝内に配置してあって、見付片と見込片とを有しており、見付片がガイド枠の屋外側壁に当接し、見込片がガイド枠の見込壁に当接しており、溝外補強材は、ガイド枠の溝外に配置してあって、見付片と見込片とを有しており、見付片がガイド枠の屋内側壁に当接し、見込片がガイド枠の見込壁に当接しており、溝内補強材の見付片とガイド枠の屋内側壁との間に、シャッタースラットの端部を収めてあることを特徴とする。
【０００６】
本発明のうち請求項２の発明は、ガイド枠の溝内に、火災時に熱によって発泡する耐火材を設けてあり、耐火材は、シャッタースラットの屋外側面及び屋内側面に対向して配置してあって、発泡するとシャッタースラットに当接するものであることを特徴とする。
【発明の効果】
【０００７】
本発明のうち請求項１の発明によれば、溝内補強材の見込片と溝外補強材の見込片とでガイド枠の見込壁を挟み込み、火災時において直接炎熱にさらされないよう保護している。また、溝外補強材はガイド枠の屋内側壁及び見込壁を屋内側から覆っており、屋内側からの炎熱よりガイド枠の溝を保護している。そして、溝内補強材と溝外補強材とを組み合わせて略コ字形を形成しており、その内側にシャッタースラットの端部を収めてあるので、ガイド枠が溶解した場合であっても、シャッタースラットは溝内補強材及び溝外補強材に支持され脱落しない。
【０００８】
本発明のうち請求項２の発明によれば、火災時に耐火材が発泡してシャッタースラットの屋外側面及び屋内側面に当接する。これにより、シャッタースラットが屋外側と屋内側の両側から耐火材により押圧され、シャッタースラットが固定される。また、耐火材はシャッタースラットとガイド枠の溝の間の隙間を埋めるので、屋外側と屋内側とが遮断され、炎が回り込むことを防ぐ。さらに、シャッタースラットの端部が溶解することを防ぎ、シャッタースラットの脱落を防いでいる。
【図面の簡単な説明】
【０００９】
【図１】本発明の開口部建材の第一実施形態のガイド枠部分の横断面図である。
【図２】開口部建材の横断面図である。
【図３】開口部建材の縦断面図である。
【図４】開口部建材の屋外側正面図である。
【図５】第二実施形態のガイド枠部分の横断面図である。
【図６】従来の開口部建材のガイドレール部分の横断面図である。
【発明を実施するための形態】
【００１０】
以下、本発明の実施の形態を図面に基づいて説明する。なお、以下において左右とは、図２における左右を示す。この開口部建材の第一実施形態は、建築物の開口部の屋外側に取り付けるシャッターである。図２〜図４に示すように、開口部９の周囲の躯体１０に、上枠７ａ、下枠７ｂ及び左右の竪枠７ｃをネジ止めしてあり、上枠７ａには箱形のケース７ｄを取り付けてあって、ケース７ｄの中にシャッタースラット４の巻取装置８を収めてある。そして、竪枠７ｃの前側にはガイド枠１をネジ止めしてある。シャッタースラット４は、ガイド枠１によって上下動自在にガイドされており、巻取装置８によって巻き取ると上昇し、繰り出すと下降する。そしてシャッタースラット４を閉鎖すると、その下端は下枠７ｂに当接する。
【００１１】
次に、ガイド枠１とシャッタースラット４の係合部分について、図１に基づき詳述する。なお、図１は右側のガイド枠１を示すものであるが、左側のガイド枠１についても左右対称な構造である。ガイド枠１は、アルミの押出形材からなり、屋外側壁１１と、屋内側壁１２と、両壁の間に位置する見込壁１３とを備え、三壁に囲まれた部分が、左側（開口部建材の内周側）に向けて開口する断面コ字形状の溝１４となる。屋外側壁１１は、開口部建材の屋外側に露出する面となる。なお、屋外側壁１１の右側端（外周側端）からは、外壁１５が屋内側に向かって延びていて、外壁１５の屋内側端が竪枠７ｃに係合しており、屋内側壁１２の屋内側面からは取付壁１６が屋内側に向かって延びていて、取付壁１６が竪枠７ｃにネジ止めしてある。
【００１２】
そして、溝１４の内側と外側に、それぞれ溝内補強材２と溝外補強材３を取り付けてある。溝内補強材２は、鋼板を折り曲げて断面Ｌ字形状に形成したものであり、見付片２１と、見込片２２とを有していて、溝１４の内側に配置してある。見付片２１は、屋外側壁１１に屋内側から当接しており、見込片２２は、見込壁１３に左側（内周側）から当接している。一方、溝外補強材３も、鋼板を折り曲げて断面Ｌ字形状に形成したものであり、見付片３１と、見込片３２とを有していて、溝１４の外側に配置してある。見付片３１は、屋内側壁１２に屋内側から当接しており、見込片３２は、見込壁１３に右側（外周側）から当接している。
【００１３】
さらに、溝１４内の、屋内側壁１２と溝内補強材２の見付片２１の間には、レール部材６を設けてある。レール部材６は、アルミの押出形材からなり、屋外側板６１と、屋内側板６２と、見込板６３からなる断面略コ字形状である。ただし、屋内側板６２は屋外側板６１より長く形成してある。屋外側板６１は、溝内補強材２の見付片２１に屋内側から当接しており、屋内側板６２は、屋内側壁１２に屋外側から当接しており、見込板６３は、溝内補強材２の見込片２２に左側（内周側）から当接している。そして、屋外側板６１と屋内側板６２には、対向する位置に見込方向に突出する係合片６４を形成してある。
【００１４】
このように各部材を配置すると、左側（内周側）から、レール部材６の見込板６３、溝内補強材２の見込片２２、ガイド枠１の見込壁１３及び溝外補強材３の見込片３２が重なるので、四部材を合わせて左側（内周側）からネジ止めしてある。また、屋内側から、溝外補強材３の見付片３１、ガイド枠１の屋内側壁１２及びレール部材６の屋内側板６２が重なるので、三部材を合わせて屋内側からネジ止めしてある。
【００１５】
そして、レール部材６には、シャッタースラット４の端部が係合している。シャッタースラット４には、左右の両端部に、樹脂製の耐風フック４１を取り付けてある。耐風フック４１は、内部に鉄製の心材を有していて、先端が上面視して略Ｔ字形状である。この先端部をレール部材６に上下方向から挿入することで、耐風フック４１がレール部材６の係合片６４に係合して、上下動自在となっている。
【００１６】
さらに、ガイド枠１の溝１４内には、耐火材５を設けてある。耐火材５は、溝内補強材２の見付片２１の左側端（内周側端）の屋内側と、レール部材６の屋内側板６２の左側端（内周側端）の屋外側に取り付けてあり、それぞれシャッタースラット４の屋外側面と屋内側面に対向している。そして、耐火材５はエポキシ系の素材からなるもので、火災時に熱により発泡して厚さ方向（取付面に対して垂直方向）に膨張し、シャッタースラット４に当接する。また、ガイド枠１の屋外側壁１１の左側端（内周側端）の屋内側と、屋内側壁１２の左側端（内周側端）の屋外側には、シャッタースラット４に当接するようにモヘア１７を取り付けてある。
【００１７】
このように構成した開口部建材においては、鋼板からなる溝内補強材の見込片と、同じく鋼板からなる溝外補強材の見込片とでガイド枠の見込壁を挟み込み、火災時において直接炎熱にさらされないよう保護している。また、溝外補強材はガイド枠の屋内側壁及び見込壁を屋内側から覆っており、屋内側からの炎熱よりガイド枠の溝を保護している。そして、溝内補強材と溝外補強材とを組み合わせて略コ字形を形成しており、その内側にレール部材を配置してあるので、レール部材は溝内補強材及び溝外補強材によって炎熱から守られる。さらに、アルミの押出形材からなるレール部材やガイド枠が溶解した場合であっても、シャッタースラットの端部は略コ字形の溝内補強材及び溝外補強材の内側に収まって支持された状態が維持されるので、シャッタースラットは脱落しない。また、火災時に耐火材が発泡してシャッタースラットの屋外側面及び屋内側面に当接する。これにより、シャッタースラットが屋外側と屋内側の両側から耐火材により押圧され、シャッタースラットが固定される。そして、耐火材はシャッタースラットとガイド枠の溝の間の隙間を埋めるので、屋外側と屋内側とが遮断され、炎が回り込むことを防ぐ。さらに、シャッタースラットの端部が溶解することを防ぎ、シャッタースラットの脱落を防いでいる。なお、レール部材やシャッタースラットの端部を炎熱から保護するには、溝内にコ字形の補強材を挿入して、その内側にレール部材及びシャッタースラットを配置する方法も考えられる。しかしながら、その場合には溝の内側が窮屈になって、シャッタースラットをスムーズに動作させるために必要なクリアランスを確保できなくなる。そのため、溝の見込幅を広くしなければならなくなり、ガイド枠の外観が変わってしまうおそれもある。これに対し、本発明は補強材を溝内と溝外に分けて配置しているので、溝内の空間に余裕があり、溝の見込幅やガイド枠の外観を変えることなく、溝及びその内側のレール部材やシャッタースラットの端部を炎熱から保護できる。
【００１８】
続いて、本発明の開口部建材の第二実施形態について説明する。第二実施形態は、第一実施形態と比較して、溝内補強材の形状が異なっている。図５に示すように、第二実施形態の溝内補強材２ａは、ガイド枠１の溝１４の内側に配置してあり、屋外側見付片２１ａと、見込片２２ａと、屋内側見付片２３ａからなる断面略コ字形状である。ただし、屋外側見付片２１ａは屋内側見付片２３ａより長く形成してある。そして、屋外側見付片２１ａは、屋外側壁１１に屋内側から当接しており、見込片２２ａは、見込壁１３に左側（内周側）から当接しており、屋内側見付片２３ａは、屋内側壁１２に屋外側から当接している。なお、溝外補強材３については、第一実施形態と同様であり、レール部材６については、第一実施形態と同じ形状であって、溝内補強材２ａの屋外側見付片２１ａと屋内側見付片２３ａの間に設けてある。このように各部材を配置すると、屋内側から、溝外補強材３の見付片３１、ガイド枠１の屋内側壁１２、溝内補強材２ａの屋内側見付片２３ａ及びレール部材６の屋内側板６２が重なるので、四部材を合わせて屋内側からネジ止めしてある。このように構成した第二実施形態の開口部建材においても、第一実施形態と同様に、溝内補強材と溝外補強材及び耐火材がガイド枠やシャッタースラットを炎熱から保護して、シャッタースラットの脱落を防ぐことができる。
【００１９】
本発明は、上記の実施形態に限定されない。たとえば、ガイド枠は、屋外側壁、屋内側壁及び見込壁を有するものであればよく、その他の部分の形状は、外観や、竪枠への取り付け方法などを考慮して自由に設計できる。また、レール部材は、必ずしも取り付けなくてもよく、レール部材がない場合は、ガイド枠又は溝内補強材に係合片を形成すればよい。ただし、鋼板からなる溝内補強材に係合片を形成するには手間がかかるため、レール部材を設けるほうが、効率よく製造できる。さらに、シャッターの全体形状も、一例を示したものであり、上枠、下枠、竪枠及びケースの形状や、巻取装置の構造などは、どのようなものであってもよい。なお、本発明の開口部建材には、窓などの外側に後付け可能な単体のシャッターと、あらかじめ窓枠とシャッターが一体となっているシャッター付サッシの両方を含む。
【符号の説明】
【００２０】
１  ガイド枠
２  溝内補強材
３  溝外補強材
４  シャッタースラット
５  耐火材
１１  屋外側壁
１２  屋内側壁
１３  見込壁
１４  溝
２１  見付片（溝内補強材）
２２  見込片（溝内補強材）
３１  見付片（溝外補強材）
３２  見込片（溝外補強材）
【図１】
0005715019.tif 000002
【図２】
0005715019.tif 000003
【図３】
0005715019.tif 000004
【図４】
0005715019.tif 000005
【図５】
0005715019.tif 000006
【図６】
0005715019.tif 000007